(57)【要約】【課題】各種折板屋根上に桟を固定するための汎用性のある固定金具を提供する。【解決手段】折板屋根の突条部と略平行に配置する縦桟10又はこれと直交する横桟10を支持し固定できる固定金具1である。固定金具1はこれらの桟10, 20をその上面に載置する上面部31と、この上面部31の左右両側から下方に垂下する２つの脚部32とからなり、これら両脚部32の下方には折板屋根の突条部の両側の傾斜面に接合して固定される接合部33を有する。固定金具1の上面部31の左右両側には縦桟10又は横桟10の両側をガイドする案内部5を設ける。この固定金具1の複数を折板屋根の突条部に固定し、これら固定金具1の上面の案内部5により縦桟10又は横桟10がガイドされ、屋根の突条部と略平行に又は直交する方向に縦桟10又は横桟10が配置され、縦桟10又は横桟10の底面部と固定金具1の上面部31とが固定される。【選択図】図１
2015017451.tif 000002
【特許請求の範囲】
【請求項１】
各種折板屋根や波形屋根上にソーラーパネル等の面状物品を設置するための縦桟又は横桟を支持し固定する固定金具であって、
この固定金具は、縦桟又は横桟をその上面に載置する上面部と、この上面部の両側から下方に延長する２つの脚部とからなり、これらの両脚部の下方部は、前記折板屋根の突条部の両側の傾斜面に接合する接合部を有し、この接合部が螺子等の固定手段により屋根上に固定されることにより、前記上面部と折板屋根との間に所定空間が保持され、
前記固定金具の上面部の両側には少なくとも一対の案内部を設け、これらの案内部が縦桟の両側に沿って縦桟を案内することができ、同時にこれらの案内部が横桟の両側に沿って横桟をもガイドすることができ、
前記固定金具の上面部と縦桟又は横桟の底面部とは螺子等の固定手段によって固定されることを特徴とする屋根上面状物品設置用桟の固定金具。
【請求項２】
前記案内部が固定金具の両側に二対設けられていることを特徴とする請求項１に記載の屋根上面状物品設置用桟の固定金具。
【請求項３】
前記案内部を固定金具の両側に一対設け、それぞれの側に設けた案内部は固定金具の上面部で、折板屋根の突条部と略直交する方向において異なる位置に設けられていることを特徴とする請求項１に記載の屋根上面状物品設置用桟の固定金具。
【請求項４】
横桟として２つの断面略コ字形状のものを、その溝条部を向かい合わせるように配置して所定間隔を開けて固定した二分割桟を支持し固定する場合には、前記固定金具としてその上面部の両側の対向する位置に一対の案内部を設けたものを使用し、この一対の案内部が前記二分割桟の間隔部に適合してガイドできることを特徴とする請求項１に記載の屋根上面状物品設置用桟の固定金具。
【請求項５】
各種折板屋根や波形屋根上にソーラーパネル等の面状物品を設置するための縦桟又は横桟を支持し固定する固定金具であって、
この固定金具は、縦桟又は横桟をその上面に載置する上面部と、この上面部の両側から下方に延長する２つの脚部とからなり、これらの両脚部の下方部は、前記折板屋根の突条部の両側の傾斜面に接合する接合部を有し、この接合部が螺子等の固定手段により屋根上に固定されることにより、前記上面部と折板屋根との間に所定空間が保持され、
前記固定金具の上面部の両脚部が設けられた両側と略直交する方向の両側に少なくとも一対の案内部を設け、これら案内部が横桟の両側に沿って横桟をガイドすることができ、同時にこれらの案内部が縦桟の両側に沿って縦桟をもガイドすることができ、
前記固定金具の上面部と横桟又は縦桟の底面部とは螺子等の固定手段によって固定されることを特徴とする屋根上面状物品設置用桟の固定金具。
【請求項６】
前記案内部が固定金具の両側と略直交する方向の両側に二対設けられていることを特徴とする請求項５に記載の屋根上面状物品設置用桟の固定金具。
【請求項７】
前記案内部を固定金具の両側と略直交する方向の両側に一対設け、それぞれの側に設けた案内部は固定金具の上面部で、折板屋根の突条部と略同一方向において異なる位置に設けられていることを特徴とする請求項５に記載の屋根上面状物品設置用桟の固定金具。
【請求項８】
縦桟として２つの断面略コ字形状のものを、その溝条部を向かい合わせるように配置して所定間隔を開けて固定した二分割桟を支持し固定する場合には、前記固定金具としてその上面部の両側と略直交する方向の両側の対向する位置に一対の案内部を設けたものを使用し、この一対の案内部が前記二分割桟の間隔部に適合してガイドできることを特徴とする請求項５に記載の屋根上面状物品設置用桟の固定金具。
【請求項９】
各種折板屋根の突条部の両傾斜面に接合する固定金具の接合部に、防水シール材を設けたことを特徴とする請求項１乃至８の何れか１項に記載の屋根上面状物品設置用桟の固定金具。
【発明の詳細な説明】
【技術分野】
【０００１】
本発明は、例えばソーラーパネル等の面状物品を各種折板屋根上に設置するための縦桟や横桟を支持し、固定する固定金具に関するものである。
【背景技術】
【０００２】
従来のこの種の桟構造としては、下記特許文献に係る発明を挙げることができる。
この特許文献に記載の発明は、本願出願人が先に提案したものであって、はぜ継ぎ折板屋根上に面状物品を取り付け、固定するための固定金具等に関するものである。
この従来例に係る固定金具においては、折板屋根の流れ方向（棟から軒方向又は縦方向）に平行に存在する突条部とその頂部にあるはぜ部を両側から挟持する左右対称で一対の長尺状のはぜ部挟持部材と、これら左右はぜ部挟持部材の上端に固定され、はぜ部挟持部材の長手方向にその固定位置を変更できる中間固定部材と、この中間固定部材の上方に位置する面状物品の縁部を押圧、固定することができる押え部材とから構成されたものである。
【０００３】
ここにおいて、一対のはぜ部挟持部材は、折板屋根の流れ方向に存在する突条部に固定され、この一対のはぜ部挟持部の上方部が縦桟を成すものである。
この縦桟となるはぜ部挟持部上に中間固定部材が摺動可能に設けられ、所望位置に固定され、この中間部材に押圧部材を押圧固定することにより、この押圧部材と前記はぜ部挟持部との間で面状物品の枠部が固定されることとなるのである。
【０００４】
また、長尺状の横桟を必要とする場合には、上記はぜ部挟持部材の上端面上に直交するように、例えば断面コ字形状の型材からなる横桟を固定することにより設置可能となるのである。
この従来例に係る固定金具は、はぜ継ぎ折板屋根用に特化したものであり、各種の折板屋根に対応できるものではなかった。
【先行技術文献】
【特許文献】
【０００５】
【特許文献１】特開２０１２−１６７４９８号公報
【発明の概要】
【発明が解決しようとする課題】
【０００６】
本発明においては、はぜ継ぎ折板屋根に限らず、各種の折板屋根、例えば、折板重ね式や折板接合式等の各種の折板屋根、或いは波形形状の屋根にも適用することができる汎用性のある縦桟構造又は横桟構造に使用できる固定金具を提供することをその第一の課題としている。
更に、本発明においては、これら縦桟及び横桟を一つの固定金具によって屋根上に支持し固定できる固定金具を創案することもその課題とするものである。
【課題を解決するための手段】
【０００７】
上記課題を解決するために、本発明の第１のものは、各種折板屋根や波形屋根上にソーラーパネル等の面状物品を設置するための縦桟又は横桟を支持し固定する固定金具であって、この固定金具は、縦桟又は横桟をその上面に載置する上面部と、この上面部の両側から下方に延長する２つの脚部とからなり、これらの両脚部の下方部は、前記折板屋根の突条部の両側の傾斜面に接合する接合部を有し、この接合部が螺子等の固定手段により屋根上に固定されることにより、前記上面部と折板屋根との間に所定空間が保持され、前記固定金具の上面部の両側には少なくとも一対の案内部を設け、これらの案内部が縦桟の両側に沿って縦桟を案内することができ、同時にこれらの案内部が横桟の両側に沿って横桟をもガイドすることができ、前記固定金具の上面部と縦桟又は横桟の底面部とは螺子等の固定手段によって固定されることを特徴とする屋根上面状物品設置用桟の固定金具である。
【０００８】
本発明の第２のものは、上記第１の発明において、前記案内部が固定金具の両側に二対設けられていることを特徴とする屋根上面状物品設置用桟の固定金具である。
【０００９】
本発明の第３のものは、上記第１の発明において、前記案内部を固定金具の両側に一対設け、それぞれの側に設けた案内部は固定金具の上面部で、折板屋根の突条部と略直交する方向において異なる位置に設けられていることを特徴とする屋根上面状物品設置用桟の固定金具である。
【００１０】
本発明の第４のものは、上記第１の発明において、横桟として２つの断面略コ字形状のものを、その溝条部を向かい合わせるように配置して所定間隔を開けて固定した二分割桟を支持し固定する場合には、前記固定金具としてその上面部の両側の対向する位置に一対の案内部を設けたものを使用し、この一対の案内部が前記二分割桟の間隔部に適合してガイドできることを特徴とする屋根上面状物品設置用桟の固定金具である。
【００１１】
本発明の第５のものは、各種折板屋根や波形屋根上にソーラーパネル等の面状物品を設置するための縦桟又は横桟を支持し固定する固定金具であって、この固定金具は、縦桟又は横桟をその上面に載置する上面部と、この上面部の両側から下方に延長する２つの脚部とからなり、これらの両脚部の下方部は、前記折板屋根の突条部の両側の傾斜面に接合する接合部を有し、この接合部が螺子等の固定手段により屋根上に固定されることにより、前記上面部と折板屋根との間に所定空間が保持され、前記固定金具の上面部の両脚部が設けられた両側と略直交する方向の両側に少なくとも一対の案内部を設け、これら案内部が横桟の両側に沿って横桟をガイドすることができ、同時にこれらの案内部が縦桟の両側に沿って縦桟をもガイドすることができ、前記固定金具の上面部と横桟又は縦桟の底面部とは螺子等の固定手段によって固定されることを特徴とする屋根上面状物品設置用桟の固定金具である。
【００１２】
本発明の第６のものは、上記第５の発明において、前記案内部が固定金具の両側と略直交する方向の両側に二対設けられていることを特徴とする屋根上面状物品設置用桟の固定金具である。
【００１３】
本発明の第７のものは、上記第５の発明において、前記案内部を固定金具の両側と略直交する方向の両側に一対設け、それぞれの側に設けた案内部は固定金具の上面部で、折板屋根の突条部と略同一方向において異なる位置に設けられていることを特徴とする屋根上面状物品設置用桟の固定金具である。
【００１４】
本発明の第８のものは、上記第５の発明において、縦桟として２つの断面略コ字形状のものを、その溝条部を向かい合わせるように配置して所定間隔を開けて固定した二分割桟を支持し固定する場合には、前記固定金具としてその上面部の両側と略直交する方向の両側の対向する位置に一対の案内部を設けたものを使用し、この一対の案内部が前記二分割桟の間隔部に適合してガイドできることを特徴とする屋根上面状物品設置用桟の固定金具である。
【００１５】
本発明の第９のものは、上記何れかの発明において、各種折板屋根の突条部の両傾斜面に接合する固定金具の接合部に、防水シール材を設けたことを特徴とする屋根上面状物品設置用桟の固定金具である。
【発明の効果】
【００１６】
本発明の第１のものにおいては、縦桟又は横桟を各種折板屋根上に固定できる固定金具に係るものであって、これら縦桟又は横桟としては、どのような形態の桟をも固定することができる。
即ち、これら縦桟又は横桟として底面部を有するものであれば、この底面部を固定金具の上面部に螺子等の固定手段により固定することができるのである。
ソーラーパネル等の面状物品は、本発明に係る固定金具の複数を折板屋根上に固定し、これらの固定金具の上面部に縦桟又は横桟を適宜配列して固定し、その上に適宜配列され設置されるのである。
【００１７】
固定金具は、縦桟又は横桟をその上面に載置する上面部と、この上面部の左右両側から下方に延長する２つの脚部とからなり、これらの両脚部の下方部は、前記折板屋根の突条部の両側の傾斜面に接合する接合部を有し、螺子等の固定手段により屋根上に固定される。
即ち、この固定金具は、その両脚部が折板屋根の突条部を跨ぐように配置され、その両脚部の下方の接合部が折板屋根の突条部の両側に接合し、固定されるため、折板屋根と固定金具の上面部との間に空間部が形成されるのである。
【００１８】
折板屋根の突条部の頂部には、はぜ部をはじめ、折板取付用の剣先ボルトや防水キャップ等が設けられており、本発明においては、上記のように固定金具の上面部と折板屋根の突条部の頂部との間に空間が設けられているために、どのようなタイプの折板屋根にも固定可能なものとなる。
【００１９】
更に、固定金具の上面部の左右両側には、縦桟の左右両側に沿うように縦桟をガイドする案内部を設けたために、これらの案内部が縦桟の両側をガイドし、縦桟の位置決めを行い、その後固定する際に便利なものとなるのである。
同時にこれらの案内部は、折板屋根の突条部と直交する方向に配列される横桟の両側をもガイドすることができるのである。
このように本発明においては、各種形態の縦桟又は横桟の何れのものをも１つの固定金具で対応することでき、縦横何れの桟をも固定することができることがその最大のメリットである。
【００２０】
設置手順としては、折板屋根の突条部の適宜位置に複数の前記固定金具を配置し、その両脚部の下方の接合部を螺子等の固定手段によって固定し、その後、縦桟又は横桟を固定金具の両側の案内部に合致させて、即ち両側の案内部の間に縦桟又は横桟を配置し、その後これら縦桟又は横桟の底面部と固定金具の上面部を螺子等の固定手段によって固定し、縦桟又は横桟を屋根上に配列し固定することができる。
【００２１】
このようにして、折板屋根の突条部に沿って複数の縦桟を平行に、又は複数の横桟を折板屋根の突条部と直交する横方向に平行に設置し、その後ソーラーパネル等の面状物品を縦桟上又は横桟上に載置し配列して、その後各種の固定部材により、縦桟又は横桟の上に面状物品を固定することができるのである。
【００２２】
本発明の第２のものにおいては、上記第１の発明において、固定金具の上面部の両側に設けた案内部を二対設けたことを特定したものであり、これにより各種形態の縦桟又は横桟の両側を二対の案内部が確実にガイドすることができる。
その他の効果は上記第１の発明と同じである。
【００２３】
本発明の第３のものにおいては、上記第２の発明と同様に、案内部を限定したものであり、即ち、この案内部を固定金具の両側に一対設け、それぞれの側に設けた案内部は固定金具の上面部で、折板屋根の突条部と略直交する横方向において、異なる位置に設けたことを特徴とするものである。
即ち、案内部を折板屋根の突条部と略直交する方向において対向する同じ位置でなく、異なる位置に互い違いに設けたものである。
このような配置とすることにより、一対の案内部が縦桟又は横桟の何れの桟の両側をもガイドすることができることとなる。
【００２４】
本発明の第４のものにおいては、上記第３の発明と同様に一対の案内部を、折板屋根の突条部と略直交する方向において対向する同じ位置に形成したものを特定している。
これにより、横桟として２つの断面略コ字形状のものを、その溝条部を向かい合わせるように配置して所定間隔を開けて固定した二分割桟を支持し固定する際に、この二分割桟の間隔部に上記一対の案内部が適合してガイドすることができるのである。
【００２５】
従って、この固定金具の複数を折板屋根の突条部の適宜位置に横方向に並べて固定することにより、それぞれの固定金具の案内部は、横方向に一列に配列されることとなり、この横一列に配列された案内部に二分割桟の底面にある間隔部を適合させることにより、横桟が横方向に位置決めされ、配置され、固定されるのである。
【００２６】
本発明の第５のものにおいては、上記発明に係る固定金具と、その案内部の設け方が異なるものを特定したものである。
案内部以外の部分の構成要素は、上記第１の発明と同じである。
また、この第５の発明においても、上記発明と同様に、各種態様の縦桟又は横桟を載置し固定することができるものである。
【００２７】
即ち、この第５の発明においては、固定金具の上面部の両脚部が設けられた両側と略直交する方向（横方向）の両側に少なくとも一対の案内部を設け、これら案内部が横桟の両側に沿って横桟をガイドすることができ、同時にこれらの案内部が縦桟の両側に沿って縦桟をもガイドすることができるものである。
その効果は、上記第１の発明と同じである。
【００２８】
本発明の第６のものにおいては、上記第５の発明において、案内部を固定金具の両側と略直交する方向（横方向）の両側に二対設けたことを特徴とするものであり、その効果は、上記第２の発明と同じである。
【００２９】
本発明の第７のものにおいては、上記第５の発明において、案内部を固定金具の両側と略直交する方向（横方向）の両側に一対設け、それぞれの側に設けた案内部は固定金具の上面部で、折板屋根の突条部と略同一方向において異なる位置に設けられ、つまり、対向する同じ位置でない異なる位置に配置したものであり、その効果は、上記第３の発明と同じである。
【００３０】
本発明の第８のものにおいては、縦桟として２つの断面略コ字形状のものを、その溝条部を向かい合わせるように配置して所定間隔を開けて固定した二分割桟を支持し固定する場合に対応させたものであって、その効果は、横桟と縦桟との相違はあるが、上記第４の発明と同様である。
【００３１】
本発明の第９のものにおいては、上記のそれぞれの発明において特定された固定金具において、固定金具の接合部に、防水シール材を設けたことを特徴とするものであり、これにより、接合部と屋根との螺子等の固定手段による固定に際して、防水効果をより発揮させることができる。
【図面の簡単な説明】
【００３２】
【図１】本発明の第１実施形態に係る固定金具の斜視図を示し、その（Ａ）が縦桟を支持した状態を示し、その（Ｂ）が横桟を支持した状態を示している。
【図２】本発明の第２実施形態に係る固定金具の斜視図を示し、その（Ａ）が横桟を支持した状態を示し、その（Ｂ）が縦桟を支持した状態を示している。
【図３】本発明の第３実施形態に係る固定金具を用いて縦桟を支持固定した状態を示す斜視図である。
【図４】図３の側面図である。
【図５】図３及び図４に図示した第３実施形態に係る固定金具を用いて縦桟を支持した状態を示す正面図である。
【図６】本発明の上記第３実施形態に係る固定金具を使用して横桟を支持した状態を示す斜視図である。
【図７】図６に示した横桟支持構造を示し、その（Ａ）は平面図であり、その（Ｂ）は正面図である。
【図８】図６及び図７に図示した第３実施形態に係る固定金具を用いた横桟支持構造の側面図である。
【図９】本発明の固定金具に係る実施形態を図示した斜視図であって、その（Ａ）が上記第３実施形態を示し、その（Ｂ）は、他の第４実施形態を図示している。
【図１０】本発明の固定金具に係る各種実施形態の上面部の概念図であって、その（Ａ）が上記第１実施形態を、その（Ｂ）が第５実施形態を、その（Ｃ）が上記第３実施形態を示している。
【図１１】本発明の固定金具に係る各種実施形態の上面部の概念図であって、その（Ａ）が第６実施形態を、その（Ｂ）が第７実施形態を、その（Ｃ）が上記第４実施形態を示している。
【発明を実施するための形態】
【００３３】
以下、添付の図面と共に本発明の実施形態について説明する。
図１は、本発明の第１実施形態に係る固定金具の斜視図を示し、その（Ａ）が縦桟を支持した状態を示し、その（Ｂ）が横桟を支持した状態を示している。
この第１実施形態に係る固定金具１は、縦桟１０又は横桟１０を載置する上面部３１と、この上面部３１の左右両側から下方に垂下する両脚部３２、３２と、これらの両脚部３２の下方部で外側に折曲し、図示はしていない折板屋根の突条部の両側の傾斜面と接合する接合部３３、３３とからなる。
【００３４】
上記上面部３１の両側には上方に突出する案内部５が二対設けられている。
これらの案内部５は、上面部３１の一部を上方に起立させて形成した板状のものから形成されている。
これらの二対の案内部５、５が図１（Ａ）にあっては縦桟１０の両側に沿ってこの縦桟をガイドし、位置決めすることができ、図１（Ｂ）にあっては横桟１０の両側に沿ってこの横桟１０を位置決めすることができる。
【００３５】
固定金具１の上面部３１の略中央部には螺子孔３１ｈが設けられ、この固定金具１に縦桟１０又は横桟１０を螺子等の固定手段によって固定できる。
他方、固定金具１の両脚部３２、３２の下方の接合部３３、３３にも、螺子挿通孔３３ｈ、３３ｈが設けられ、これらを利用して螺子等の固定手段により折板屋根の突条部の両傾斜面に固定される。
【００３６】
このようにこの第１実施形態に係る固定金具１は、縦桟１０又は横桟１０の何れをもその上面部３１に載置し、これらの位置決めを行い、固定することができる。
この第１実施形態に係る固定金具１は、図示はしていない折板屋根の突条部を跨ぐように、即ち、屋根の流れ方向にその両脚部３２、３２を平行に配置し、その下方の接合部３３、３３を屋根の突条部の両側の傾斜面に接合させ、固定するのである。
【００３７】
図２は、本発明の第２実施形態に係る固定金具の斜視図を示し、その（Ａ）が横桟を支持した状態を示し、その（Ｂ）が縦桟を支持した状態を示している。
この第２実施形態に係る固定金具２においては、その基本構成は、上記第１実施形態と同様であるが、上面部３１の左右両側に設けた案内部５の位置が少し異なっている。
【００３８】
即ち、この第２実施形態に係る固定金具２は、その案内部５が上面部３１の両側で、屋根の流れ方向の両端部に形成されたものである。
また、その上面部３１の流れ方向長さは、両脚部３２、３２の流れ方向長さよりも、案内部５、５の長さ分短く形成されたものである。
その他の構成は、上記第１実施形態に係る固定金具１と同一で、縦桟１０及び横桟１０の何れをもその上面部に載置し、それらの両側をガイドし、位置決めすることができるものである。
【００３９】
図３は、本発明の第３実施形態に係る固定金具を用いて縦桟を支持固定した状態を示す斜視図である。
図４は、図３の側面図である。
これらの図面では、折板屋根の一つの突条部のみを切り取った状態で図示している。従って、折板屋根は、図３においては、左右方向に繰り返し連続し、図４においては紙面表裏方向に繰り返して連続するものである。
【００４０】
これらの図に示した折板屋根５０は、折板重ね式のものであり、その突条部５０ｔの部分にははぜ部が設けられていない。
上記した通り、突条部５０ｔは、図示はしていないが、図３の左右方向にその突条部５０ｔが繰り返し連続することとなる。
【００４１】
この折板屋根５０の突条部５０ｔの上に、本発明の第３実施形態に係る固定金具３０が適宜間隔で配置され、螺子３０ｓによって固定される。
当該固定金具３０の構成は後に詳説するが、この固定金具３０の構成は、図５及び図９（Ａ）により明瞭に記載されている。
【００４２】
図３及び図４においては、この固定金具３０を折板屋根５０の突条部５０ｔの流れ方向に３個同じ間隔で配置し、固定している。
尚、これらの図では理解容易化のために、折板屋根５０の流れ方向の傾斜を無視して水平に描いている。
【００４３】
これら３個の固定金具３０の上に縦桟１０が載置される。
この縦桟１０は、図５においても説明をするが、金属製型材を使用しており、横断面略コ字形状の長尺状のものである。
より詳細には、この横断面略コ字形状の縦桟１０は、所謂リップ溝型鋼或いはシーチャンネル材と呼ばれる型材と同様の断面形状を有するものであり、一側面の長手方向に溝条部が設けられた形態を有している。
ここで使用する縦桟１０は、更にこの溝条部の両側縁部が下方に折曲したものである。
【００４４】
そして、この固定金具３０は、縦桟１０を載置する上面部と、この上面部の両側から鉛直下方に垂下する両脚部と、これらの両脚部のそれぞれの下方部が外側に折曲して、折板屋根５０の傾斜面５０ｓに接合する接合部３３を有する。
【００４５】
そして、上面部の両側には、縦桟１０の両側をガイドする案内部３５がその略中央部に１個ずつ設けられている。つまり、一対設けられている。
この案内部３５は、上方に突出する突起部からなるものである。
この固定金具３０と縦桟１０とは、前者の上面部と後者の底面部とが螺子等の固定手段によって固定されるのである。
【００４６】
以上の縦桟支持構造は、折板屋根５０の複数の突条部５０ｔ上に設置されることにより、折板屋根５０の流れ方向に平行に設置され、それらの縦桟１０の上にソーラーパネル等の面状物品を載置して固定し、設置することができるのである。
【００４７】
図５は、上記図３及び図４に図示した第３実施形態に係る固定金具を用いて縦桟を支持した状態を示す正面図である。
この縦桟支持構造に使用する固定金具３０の斜視図が図９（Ａ）である。
先ず、この図５から縦桟１０の断面形状がよく見て取れる。
即ち、その断面形状は略コ字形状を有し、その溝条部１０ｇが上方に位置するように配置される。
【００４８】
この断面コ字形状においては、その上方の溝条部１０ｇの両側が内側水平方向に折曲し、更に、その両側縁が鉛直下方に折曲する形態を有している。
このような形態とすることにより、縦桟１０の上面形態がレール形態となり、その上に載置されるソーラーパネル等の面状物品の枠部を各種の固定手段により固定するのに便利なものとなる。
【００４９】
この縦桟１０を支持し固定するのが、その下に配置する本発明の第３実施形態に係る固定金具３０である。
この固定金具３０の上面部３１の左右両側には、上方に起立する突起部からなる案内部３５が一対設けられており、こららの案内部３５、３５が上記縦桟１０の両側に沿って、その縦桟１０をガイドすることができる。
つまり、縦桟１０は、これらの案内部３５、３５によりその両側の位置決めが行なわれ、固定金具３０の上面部３１上で、折板屋根５０の突条部５０ｔに沿ってその上に配置され、固定されるのである。
【００５０】
尚、この図５からよく解る通り、固定金具３０の両脚部３２、３２の下方の接合部３３、３３が折板屋根５０に螺子によって固定されている状態を見て取ることができる。
また、固定金具３０の上面部３１と折板屋根５０の突条部５０ｔの頂部との間には適宜間隔（空間）が形成されているために、本発明に係る桟構造は、はぜ継ぎ折板屋根上にも設置することができ、また折板屋根を固定する剣先ボルト等が存在していても全く問題が生じない。
【００５１】
図６は、本発明の上記第３実施形態に係る固定金具を使用して横桟を支持した状態を示す斜視図である。
図７（Ａ）は、図６に示した横桟支持構造の平面図であり、図７（Ｂ）は、その正面図である。
これらの図面では、一列の横桟構造の部分のみを切り取って図示しており、実際には図６においては斜め流れ方向に折板屋根は連続しており、図７（Ａ）においては上下方向に、図７（Ｂ）においては紙面表裏方向に折板屋根は連続している。
【００５２】
これらの図において、折板屋根５０は、上記図３乃至図５に図示したものと同じである。
また固定金具３０も上記第３実施形態のものと全く同一のものを使用している。
この固定金具３０を折板屋根５０の突条部５０ｔの両傾斜面に固定する形態も全く同じである。
【００５３】
この同じ固定金具３０に横桟２０を折板屋根５０の突条部５０ｔと直交方向に配設するのであるが、この横桟２０の構造が上記縦桟と異なっている。
即ち、この横桟２０は、横断面略コ字形状の長尺状の横桟構成体２０ａ、２０ｂを、その溝条部を向かい合わせるようにして所定間隔を維持して固定したものから形成されている（横桟構成体２０ａ、２０ｂは対称形を有している）。
【００５４】
従って、この横桟２０の上面部と底面部にはその長手方向に溝条部が形成されることとなる。
この溝条部の内の底面側の間隔部２０ｓに、上記固定金具３０の案内部３５が適合するのである。以下、この形態に係る横桟２０を「二分割桟」とも表現する。
【００５５】
従って、設置手順は次のようになる。
固定金具３０の複数のものを、折板屋根５０の突条部５０ｔに適宜間隔を維持して横一列に螺子により固定する（図６及び図７参照）。
次に、横桟２０の底面部の間隔部２０ｓに固定金具２０の上面部に設けられた一対の案内部３５、３５を適合させて横桟３０の位置決めを行い、これによって横桟３０は折板屋根５０の突条部５０ｔと直交する方向に配置され、その後、螺子と押え金具により固定金具３０の上面部と横桟３０の底面部を固定して、横桟３０が折板屋根５０上にその流れ方向と直交する方向に配置され固定されるのである。
【００５６】
図８は、上記図６及び図７に図示した第３実施形態に係る固定金具を用いた横桟支持構造の側面図である。
この図から横桟（二分割桟）の構成を見て取ることができる。
この横桟２０は、上記した通り、断面コ字形状の金属製の型材からなる横桟構成体２０ａ、２０ｂを、その開口部を向かい合わせるように配置し、両者が所定間隔を保持して螺子２０ｒ等により固定されたものである。
【００５７】
従って、この横桟３０は、その上面部には溝条部２０ｍが、その底面部には間隔部２０ｓが設けられることとなる。
上面部の溝条部２０ｍは、その上に載置されるソーラーパネル等の面状物品の枠部を固定するための螺子等の固定手段が取り付けられ、その底面部の間隔部２０ｓには、固定金具３０の案内部３５が適合することができるのである。
【００５８】
尚、この横桟２０は、そのまま前記縦桟として使用することもでき、この場合には、固定金具３０の両側の案内部３５、３５がこの横桟２０の両側に沿ってガイドすることができ、この横桟２０をそのまま縦桟として使用することもできるのである。
【００５９】
図９は、本発明に係る固定金具を図示した斜視図であって、その（Ａ）が上記第３実施形態を示し、その（Ｂ）は、他の第４実施形態を図示している。
【００６０】
図９（Ａ）に図示した固定金具３０は、上記第３実施形態に係るものであり、上面部３１と、折板屋根の突条部を跨ぐように前記上面部３１の両側から鉛直下方に延長する両脚部３２、３２と、当該脚部３２の下方部で折板屋根の突条部の両側傾斜面と接合するように斜めに拡開するように折曲されて形成された接合部３３とからなる。
上面部３１の略中央部には螺子挿通孔３１ｈが設けられ、この螺子挿通孔３１ｈを利用して螺子等によりその上に配置される縦桟又は横桟を固定できる。
【００６１】
上面部３１の両側には上方に起立する案内部３５、３５が一対設けられ、これらの案内部３５、３５が図３に示した縦桟１０の両側を案内し、及び、図６に示した横桟（二分割桟）２０の底面の間隔部に適合してこの横桟を案内し、これらの縦桟１０及び横桟２０の位置決めを行うことができるのである。
尚、固定金具３０の両側の脚部３２の下方部の接合部３３には、螺子挿通孔３３ｈが２個設けられ、これを利用してこの固定金具３０が折板屋根に固定される。
【００６２】
同様にして、図９（Ｂ）に図示した本発明の第４実施形態に係る固定金具４０は、その案内部４５、４５を設ける位置を前記固定金具３０の案内部３５、３５と異ならせているのみで、その他の構成は、固定金具３０と全く同一である。
即ち、この固定金具４０に設けた案内部４５、４５は、その上面部３１の左右両側でなく、前後対向する位置に、つまり、折板屋根の流れ方向の前後方向の対向する（向かい合う）同一位置に、上部に突出するように設けている。
この間隔は、前記固定金具３０の案内部３５、３５同士の間隔と同じである。
【００６３】
このような構成とすることにより、この第４実施形態に係る固定金具４０を折板屋根に固定すると、２つの横桟構成体からなる横桟（図６のもの／二分割桟）と同じ構成の桟を縦方向に配置して縦桟として、この固定金具４０が位置決めし固定することができる。
他方、横断面略コ字形状の前記縦桟（図３のもの）を横方向に配設してその両側をガイドし、横桟として位置決めして固定することができることとなるのである。
尚、この固定金具４０の場合には、上記２つの横桟構成体から成る二分割桟（図６のもの）をそのまま横桟として（その両側をガイドして）配設し固定することも可能と成るのである。
その他の構成は、上記図９（Ａ）に記載のものと同様である。
【００６４】
最後に、図１０及び図１１を用いて図式的に、本発明に係る固定金具の上面部に設けた案内部の各種配置パターンを列挙してみる。
図１０及び図１１は、その平面図であって、固定金具の上面部のみを図式的に図示したものであり、図中上下方向が屋根の流れ方向の縦方向を、図中左右方向を屋根の流れ方向と直交する横方向となる。
【００６５】
図１０（Ａ）に図示した固定金具１は、図１に図示した第１実施形態に係るものである。
即ち、その案内部５は、上面部３１の左右両側の対向する同じ位置に二対設けられたものである。
これにより、縦桟１０又は横桟１０の何れをもその両側をガイドして、同じ１つの固定金具１によって支持し固定することができるのである。
【００６６】
図１０（Ｂ）に図示した固定金具６は、いまだ説明していない第５実施形態に係る固定金具６である。
即ち、この第５実施形態に係る固定金具６では、案内部５が左右両側に一対のみ設けられているが、その位置が図中左右方向の同じ位置に設けるのではなく、上下に互い違いに設けているのである。
【００６７】
つまり、屋根の流れ方向（図中上下方向）と直交する方向の横方向において対向する同じ位置でなく、異なる位置に設けているのである。
このようにすることにより、縦桟１０又は横桟１０の何れをもこの１つの固定金具６により、その両側に沿ってガイドし、位置決めをすることができるのである。
尚、図示したように右側の案内部５を左側の案内部５よりも上方に位置させることにより、縦桟１０を螺着する際の回り止め効果も発揮することとなるのである。
【００６８】
図１０（Ｃ）に図示した固定金具３０は、上述した本発明の第３実施形態のものである。
つまり、案内部３５が上面部３１の左右両側に一対設けられ、しかも、その位置は屋根の流れ方向と直交する横方向で対向する同じ位置に設けられたものである。
この固定金具３０により、縦桟１０は勿論のこと、二分割桟からなる横桟２０の間隔部にこれらの案内部５、５が適合して、この横桟２０をもガイドすることができることとなるのである。
【００６９】
図１１（Ａ）に図示した固定金具３は、本発明の第６実施形態を示しており、二対の案内部４、４を横方向に配列したものである。
これにより、横桟１０の両側に沿って横桟１０をガイドし、位置決めをすることができ、同時に、縦桟１０の両側に沿って縦桟１０をガイドし、位置決めを行うことができる。
【００７０】
図１１（Ｂ）に図示した固定金具７は、本発明の第７実施形態を図示しており、一対の案内部４、４が横方向の両側に設けられ、しかも、これらの案内部４、４は、それぞれ流れ方向の縦方向において対向する同一位置には設けられておらず、対向する異なる位置に設けている。
【００７１】
これにより横桟１０又は縦桟１０の両側を、その何れをもガイドすることができることとなるのである。
即ち、本発明に係る第７実施形態に係る固定金具７においても、同じ固定金具７により縦桟をガイドできると共に横桟をもガイドし、位置決めを行うことができることとなる。
【００７２】
図１１（Ｃ）に図示した固定金具４０は、図９（Ｂ）に図示した第４実施形態に係る固定金具４０と同一のものである。
この第４実施形態に係る固定金具４０は、既に上述した通り、縦桟として二分割桟２０をガイドする際に、この二分割桟２０の底面の間隔部に案内部４５、４５が適合して、この二分割桟２０をガイドし、位置決めすることができるものである。
【００７３】
以上の通り、本願発明においては、その案内部を適宜位置に配置することにより、各種形態の縦桟又は横桟を同時に、つまり、１つの固定金具によって支持し、ガイドすることができるものなのである。
【００７４】
ここで、案内部の形態であるが、上記実施形態では、この案内部を固定金具から切り起した板状のものから形成したが、この案内部の形態は、どのようなものであってもよい。
即ち、この案内部は、棒状又はピン状の略円柱形状又は略角柱形状の形態を有するものであってもよいし、或いは、平面視鉤型のもの（つまり、金属製細長板材を直角に折曲した平面視直角の板材を上面部に溶接着したもの）であってもよく、要は、縦桟又は横桟の両側をガイドできるもの、又は、二分割桟の底面の間隔部に適合できる形態のものであれば、どのような形態のものであってもよい。
【００７５】
以上、本発明の実施形態について説明したが、以下の通りその形態を種々設計変更することができる。
固定金具の現実の寸法、形態等は、種々設計変更可能である。
この固定金具に支持され、ガイドされる縦桟又は横桟の形態も各種のものを使用することができる。
【００７６】
とりわけ、固定金具の案内部は、上記実施形態では、略矩形形状の板状の突起として、固定金具の一部を切り起した態様にて形成しているが、上記した通りこの突起を別体のものとして形成し、その後溶接着して形成することも可能である。
固定金具の上面部の流れ方向の長さも適宜必要に応じて設定することができる。
固定金具の両側の脚部の上下長さも各種折板屋根の形態を考慮して決定することができる。
同様に、折板屋根に固定する接合部の傾斜方向長さも必要に応じて決定することができる。
【００７７】
最後に、本発明に係る固定金具の両側脚部の下方の接合部の下面には、防水シール材を接合して設けることができる。
この防水シール材としては、ブチルシール、シリコンコーキング、更にはＥＰＤＭ等を使用することができる。これにより当該固定部からの雨水等の侵入を防止できる。
【００７８】
また、上記接合部は折板屋根に、例えば防水パッキン付きのドリリンング・タッピングネジ等を用いて螺着固定されることができるが、このネジ頭部に更に防水キャップを取り付けその防水効果を３重にして（上記防水シール材、ネジの防水パッキン及び防水キャップ）、より向上させることも可能である。
【００７９】
以上、本発明は、固定金具の構成を工夫して、所定形状の縦桟及び横桟を一つの固定金具によって各種折板屋根上に固定することができる極めて便利な屋根上面状物品設置用桟に用いる固定金具を創案することができた。
【符号の説明】
【００８０】
１、２、３、６、７、３０、４０  固定金具
４、５、３５、４５  案内部
１０  （縦／横）桟
１０ｇ  溝条部
２０  （縦／横）桟（二分割桟）
２０ａ、２０ｂ  横桟構成体
２０ｓ  間隔部
２０ｍ  溝条部
３１  上面部
３２  脚部
３３  接合部
５０  折板屋根
５０ｔ  突条部
【図１】
2015017451.tif 000003
【図２】
2015017451.tif 000004
【図３】
2015017451.tif 000005
【図４】
2015017451.tif 000006
【図５】
2015017451.tif 000007
【図６】
2015017451.tif 000008
【図７】
2015017451.tif 000009
【図８】
2015017451.tif 000010
【図９】
2015017451.tif 000011
【図１０】
2015017451.tif 000012
【図１１】
2015017451.tif 000013